(57)【要約】【課題】作業者が現地点検を行う際、点検箇所に対応する点検基図を容易かつ正確に呼び出して点検結果を記録することが可能な点検基図作成支援装置およびプログラムの提供。【解決手段】道路構造物を構成する複数の要素から要素指定手段１４により要素を指定すると、この指定された要素の属性データの属性情報が属性表示手段１５により表示されるとともに、この指定された要素に紐付けされた点検基図データの点検基図のサムネイル画像が表示され、この表示されたサムネイル画像の中からサムネイル画像を選択して指定すると、この指定されたサムネイル画像に対応する点検基図が点検基図表示手段１８により表示され、この表示された点検基図上の位置を指定して個別変状に関する情報が入力されると、この入力された個別変状に関する情報は、その点検基図が紐付けされた要素の個別変状データとして個別変状情報入力手段１９により記憶手段１０に記憶される。【選択図】図２
2019061375.tif 000002
【特許請求の範囲】
【請求項１】
複数の要素から構成された道路構造物の各要素に関する属性情報を含む属性データと、前記道路構造物を構成する各要素に紐付けされた点検基図を含む点検基図データとを記憶する記憶手段と、
前記道路構造物を構成する複数の要素を表示する要素表示手段と、
前記要素表示手段により表示された複数の要素から少なくとも１つの要素を指定する要素指定手段と、
前記要素指定手段により指定された要素の属性データを前記記憶手段から取得してその属性情報を表示するとともに、当該指定された要素に紐付けされた点検基図データを前記記憶手段から取得してその点検基図のサムネイル画像を表示する属性表示手段と、
前記属性表示手段により表示されたサムネイル画像の中から指定されたサムネイル画像に対応する点検基図を前記記憶手段から取得して表示する点検基図表示手段と、
前記点検基図表示手段により表示された点検基図上の位置を指定して個別変状に関する情報が入力されると、入力された個別変状に関する情報を当該点検基図が紐付けされた要素の個別変状データとして前記記憶手段に記憶する個別変状情報入力手段と
を含む点検基図作成支援装置。
【請求項２】
前記要素指定手段により指定された要素に紐付けされた個別変状データを前記記憶手段から取得してそのリストを表示する個別変状リスト表示手段と、
前記個別変状リスト表示手段により表示されたリストの中から指定された個別変状データに対応する個別変状に関する情報を表示する個別変状情報表示手段と
を含む請求項１記載の点検基図作成支援装置。
【請求項３】
前記要素表示手段は、地図画像上に前記道路構造物を構成する複数の要素を表示するものであり、
前記要素指定手段は、前記地図画像上に表示された複数の要素の中から指定するものである請求項１または２に記載の点検基図作成支援装置。
【請求項４】
現在位置の座標を取得する座標取得手段と、
前記座標取得手段により取得した現在位置の座標に基づいて、当該現在位置に対応する地図画像を表示する地図表示手段とを含み、
前記要素表示手段は、当該現在位置に対応する地図画像上に当該現在位置に対応する前記道路構造物を構成する複数の要素を表示するものである
請求項３記載の点検基図作成支援装置。
【請求項５】
前記要素表示手段は、前記道路構造物を構成する複数の要素をリスト表示するものであり、
前記要素指定手段は、前記リスト表示された複数の要素の中から指定するものである請求項１から４のいずれか１項に記載の点検基図作成支援装置。
【請求項６】
複数の要素から構成された道路構造物の各要素に関する属性情報を含む属性データと、前記道路構造物を構成する各要素に紐付けされた点検基図を含む点検基図データとを記憶する記憶手段と、
前記道路構造物を構成する複数の要素を表示する要素表示手段と、
前記要素表示手段により表示された複数の要素から少なくとも１つの要素を指定する要素指定手段と、
前記要素指定手段により指定された要素の属性データを前記記憶手段から取得してその属性情報を表示するとともに、当該指定された要素に紐付けされた点検基図データを前記記憶手段から取得してその点検基図のサムネイル画像を表示する属性表示手段と、
前記属性表示手段により表示されたサムネイル画像の中から指定されたサムネイル画像に対応する点検基図を前記記憶手段から取得して表示する点検基図表示手段と、
前記点検基図表示手段により表示された点検基図上の位置を指定して個別変状に関する情報が入力されると、入力された個別変状に関する情報を当該点検基図が紐付けされた要素の個別変状データとして前記記憶手段に記憶する個別変状情報入力手段と
してコンピュータを機能させるための点検基図作成支援プログラム。
【請求項７】
前記要素指定手段により指定された要素に紐付けされた個別変状データを前記記憶手段から取得してそのリストを表示する個別変状リスト表示手段と、
前記個別変状リスト表示手段により表示されたリストの中から指定された個別変状データに対応する個別変状に関する情報を表示する個別変状情報表示手段と
してコンピュータを機能させるための請求項６記載の点検基図作成支援プログラム。
【発明の詳細な説明】
【技術分野】
【０００１】
本発明は、高速道路や一般道路等の道路における路面、法面、橋梁、トンネル、カルバートや付属物等の道路構造物の点検基図作成支援装置およびプログラムに関する。
【背景技術】
【０００２】
高速道路や一般道路等の道路における路面、法面、橋梁、トンネル、カルバートや付属物等の道路構造物を常に安全な状態で機能保持することを目的として、各構造物の詳細な点検を行い、その点検結果を基に異常箇所の原因推定や補修計画検討等が行われている。点検に当たっては、各種図面や帳票等を用いて現地点検が行われ、道路構造物の維持管理のための情報として蓄積される。
【０００３】
また、道路構造物の点検情報を管理するシステムとして、例えば特許文献１には、点検したい区間の２次元展開図をデータベースから読み出して通信端末装置の表示画面上に表示し、道路構造物を点検した際に、表示画面上で、道路構造物を点検した箇所に対応する２次元展開基図上の点検箇所を指定するとともに、点検内容を示す情報を点検項目ごとに入力し、指定された点検箇所に対応する表示画面上の２次元座標位置に対応づけて、点検時期を示す情報および点検項目ごとの点検内容を示す情報をデータベースに記憶し、表示画面上で、点検項目および／または点検時期が指定されると、当該指定された点検項目および／または点検時期に対応する点検が行われた点検箇所をデータベースから読み出して、２次元展開基図上に点検箇所として表示する道路建造物の点検情報管理システムが開示されている。
【先行技術文献】
【特許文献】
【０００４】
【特許文献１】特開２０１６−１２２３６１号公報
【発明の概要】
【発明が解決しようとする課題】
【０００５】
上記点検情報管理システムでは、点検したい区間の２次元展開図をデータベースから読み出して通信端末装置の表示画面上に表示し、通信端末装置の表示画面上で、点検項目および／または点検時期が指定されると、この指定された点検項目および／または点検時期に対応する点検箇所がデータベースから読み出され、２次元展開基図上に点検箇所として表示されるというものであるが、点検したい区間の２次元展開図をどのようにしてデータベースから読み出してくるかについては具体的に開示されていない。
【０００６】
そして、２次元展開基図は道路構造物を道路上の所定の区間ごとに区切った道路構造物の部分展開図であるが、一つの道路構造物に対して非常に多くの２次元展開図が存在する。そのため、データベースに記憶されている非常に多くの２次元展開図の中から点検したい区間の２次元展開図を間違いなく正確に特定して読み出してくることは容易ではない。
【０００７】
そこで、本発明においては、作業者が現地点検を行う際、点検箇所に対応する点検基図を容易かつ正確に呼び出して点検結果を記録することが可能な点検基図作成支援装置およびプログラムを提供することを目的とする。
【課題を解決するための手段】
【０００８】
本発明の点検基図作成支援装置は、複数の要素から構成された道路構造物の各要素に関する属性情報を含む属性データと、道路構造物を構成する各要素に紐付けされた点検基図を含む点検基図データとを記憶する記憶手段と、道路構造物を構成する複数の要素を表示する要素表示手段と、要素表示手段により表示された複数の要素から少なくとも１つの要素を指定する要素指定手段と、要素指定手段により指定された要素の属性データを記憶手段から取得してその属性情報を表示するとともに、当該指定された要素に紐付けされた点検基図データを記憶手段から取得してその点検基図のサムネイル画像を表示する属性表示手段と、属性表示手段により表示されたサムネイル画像の中から指定されたサムネイル画像に対応する点検基図を記憶手段から取得して表示する点検基図表示手段と、点検基図表示手段により表示された点検基図上の位置を指定して個別変状に関する情報が入力されると、入力された個別変状に関する情報を当該点検基図が紐付けされた要素の個別変状データとして記憶手段に記憶する個別変状情報入力手段とを含むものである。
【０００９】
本発明の点検基図作成支援装置によれば、道路構造物を構成する複数の要素から要素を指定すると、この指定された要素の属性データの属性情報が表示されるとともに、この指定された要素に紐付けされた点検基図データの点検基図のサムネイル画像が表示され、この表示されたサムネイル画像の中からサムネイル画像を選択して指定すると、この指定されたサムネイル画像に対応する点検基図が表示される。そして、この表示された点検基図上の位置を指定して個別変状に関する情報が入力されると、この入力された個別変状に関する情報は、その点検基図が紐付けされた要素の個別変状データとして記憶される。
【００１０】
また、本発明の点検基図作成支援装置は、要素指定手段により指定された要素に紐付けされた個別変状データを記憶手段から取得してそのリストを表示する個別変状リスト表示手段と、個別変状リスト表示手段により表示されたリストの中から指定された個別変状データに対応する個別変状に関する情報を表示する個別変状情報表示手段とを含むものであることが望ましい。これにより、道路構造物を構成する複数の要素から要素を指定すると、指定された用紙に紐付けされた個別変状データのリストが表示され、この表示されたリストの中から個別変状データを選択して指定すると、この指定された個別変状データに対応する個別変状に関する情報が表示される。
【００１１】
ここで、要素表示手段は、地図画像上に道路構造物を構成する複数の要素を表示するものであり、要素指定手段は、地図画像上に表示された複数の要素の中から指定するものであることが望ましい。これにより、地図画像上に表示された道路構造物を構成する複数の要素から要素を選択して指定することが可能となり、要素の指定を容易に行うことが可能となる。
【００１２】
また、本発明の点検基図作成支援装置は、現在位置の座標を取得する座標取得手段と、座標取得手段により取得した現在位置の座標に基づいて、当該現在位置に対応する地図画像を表示する地図表示手段とを含み、要素表示手段は、当該現在位置に対応する地図画像上に当該現在位置に対応する道路構造物を構成する複数の要素を表示するものであることが望ましい。これにより、現在位置の座標に基づいて、現在位置に対応する地図画像上に当該現在位置に対応する道路構造物を構成する要素が表示され、この地図画像上に表示された道路構造物を構成する複数の要素から要素を選択して指定することが可能となり、要素の指定をさらに容易に行うことが可能となる。
【００１３】
また、要素表示手段は、道路構造物を構成する複数の要素をリスト表示するものであり、要素指定手段が、リスト表示された複数の要素の中から指定するものであることが望ましい。これにより、リスト表示された道路構造物を構成する複数の要素から要素を選択して指定することが可能となり、要素の指定を容易に行うことが可能となる。
【００１４】
本発明の点検基図作成支援プログラムは、複数の要素から構成された道路構造物の各要素に関する属性情報を含む属性データと、道路構造物を構成する各要素に紐付けされた点検基図を含む点検基図データとを記憶する記憶手段と、道路構造物を構成する複数の要素を表示する要素表示手段と、要素表示手段により表示された複数の要素から少なくとも１つの要素を指定する要素指定手段と、要素指定手段により指定された要素の属性データを記憶手段から取得してその属性情報を表示するとともに、当該指定された要素に紐付けされた点検基図データを記憶手段から取得してその点検基図のサムネイル画像を表示する属性表示手段と、属性表示手段により表示されたサムネイル画像の中から指定されたサムネイル画像に対応する点検基図を記憶手段から取得して表示する点検基図表示手段と、点検基図表示手段により表示された点検基図上の位置を指定して個別変状に関する情報が入力されると、入力された個別変状に関する情報を当該点検基図が紐付けされた要素の個別変状データとして記憶手段に記憶する個別変状情報入力手段としてコンピュータを機能させるためのものである。このプログラムを実行したコンピュータによれば、上記本発明の点検基図作成支援装置と同様の作用、効果を奏することができる。
【発明の効果】
【００１５】
本発明によれば、作業者が現地点検を行う際、道路構造物を構成する複数の要素から要素を指定すると、この指定された要素の属性データの属性情報が表示されるとともに、この指定された要素に紐付けされた点検基図データの点検基図のサムネイル画像が表示され、この表示されたサムネイル画像の中からサムネイル画像を選択して指定すると、この指定されたサムネイル画像に対応する点検基図が表示され、この表示された点検基図上の位置を指定して個別変状に関する情報が入力されると、この入力された個別変状に関する情報は、その点検基図が紐付けされた要素の個別変状データとして記憶されるので、点検箇所に対応する点検基図を容易かつ正確に呼び出して点検結果を記録することが可能となる。
【図面の簡単な説明】
【００１６】
【図１】本発明の実施の形態における点検基図作成支援装置の外観図である。
【図２】図１の点検基図作成支援装置のブロック図である。
【図３】図１の点検基図作成支援装置のタッチパネル上の表示例を示す図である。
【図４】図１の点検基図作成支援装置のタッチパネル上の表示例を示す図である。
【図５】図１の点検基図作成支援装置のタッチパネル上の表示例を示す図である。
【図６】図１の点検基図作成支援装置のタッチパネル上の表示例を示す図である。
【図７】図１の点検基図作成支援装置のタッチパネル上の表示例を示す図である。
【図８】図１の点検基図作成支援装置のタッチパネル上の表示例を示す図である。
【図９】図１の点検基図作成支援装置のタッチパネル上の表示例を示す図である。
【図１０】図１の点検基図作成支援装置のタッチパネル上の表示例を示す図である。
【図１１】図１の点検基図作成支援装置のタッチパネル上の表示例を示す図である。
【図１２】図１の点検基図作成支援装置のタッチパネル上の表示例を示す図である。
【図１３】図１の点検基図作成支援装置のタッチパネル上の表示例を示す図である。
【図１４】図１の点検基図作成支援装置のタッチパネル上の表示例を示す図である。
【図１５】図１の点検基図作成支援装置のタッチパネル上の表示例を示す図である。
【図１６】図１の点検基図作成支援装置のタッチパネル上の表示例を示す図である。
【図１７】図１の点検基図作成支援装置のタッチパネル上の表示例を示す図である。
【発明を実施するための形態】
【００１７】
図１は本発明の実施の形態における点検基図作成支援装置の外観図、図２は図１の点検基図作成支援装置のブロック図である。
【００１８】
図１に示すように、本発明の実施の形態における点検基図作成支援装置１は、タッチパネル２を備えたコンピュータ３により構成されている。タッチパネル２は、表示装置と、表示装置の画面上をタッチすることにより操作を行う入力装置とを兼ね備えたものである。点検基図作成支援装置１は、コンピュータ３上で現地点検支援プログラムを実行することにより実現される。
【００１９】
点検基図作成支援装置１は、図２に示すように、各種データを記憶する記憶手段１０と、現在位置の座標を取得する座標取得手段１１と、地図画像を表示する地図表示手段１２と、道路構造物を構成する複数の要素を表示する要素表示手段１３と、道路構造物を構成する複数の要素から少なくとも１つの要素を指定する要素指定手段１４と、指定された要素の属性情報を表示する属性表示手段１５と、指定された要素に紐付けされた個別変状データをリスト表示する個別変状リスト表示手段１６と、リストの中から指定された個別変状データに対応する個別変状に関する情報を表示する個別変状情報表示手段１７と、点検基図を表示する点検基図表示手段１８と、点検基図上の位置を指定して個別変状に関する情報を入力する個別変状情報入力手段１９とを有する。
【００２０】
記憶手段１０には、複数の要素から構成された道路構造物の各要素に関する属性情報を含む属性データと、道路構造物を構成する各要素に紐付けされた点検基図を含む点検基図データとが記憶される。道路構造物を構成する複数の要素とは、例えば、道路構造物としての橋梁については、本体（主桁、床版等）や付属物（伸縮装置、支承等）等の上部構造体（上部工）や、上部構造体を下から支える躯体（橋脚、橋台）や基礎等の下部構造体（下部工）等である。
【００２１】
属性データには、属性情報として、上記のような複数の要素から構成された道路構造物の各要素に関する情報であり、例えば、それぞれの名称、上下線区分、位置、長さ、種類、種別等の属性を示す情報が含まれる。より具体的には、上部工の場合の属性情報としては、支社局コード、支社局、インターチェンジ（ＩＣ）（自）コード、ＩＣ（自）、ＩＣ（至）コード、ＩＣ（至）、事務所コード、事務所、道路コード、道路名、橋梁コード、橋梁、建設ランプ名、管理ランプ名、上下線区分コード、上下線区分、ルート区分コード、ルート区分、完成暫定区分コード、完成暫定区分、下部工順番号自、橋台＿橋梁番号自、橋台・橋脚名称自、起点側箇所番号自、下部工順番号至、橋台＿橋梁番号至、橋台・橋脚名称至、起点側箇所番号至、ＫＰ＿Ｓ、ＫＰ＿Ｅ、ＫＰ＿Ｒ＿Ｓ、ＫＰ＿Ｒ＿Ｅ、橋台＿橋梁番号自短、橋台＿橋梁番号至短、供用年月日、設計活荷重、橋長、総橋面積、総連数、箇所番号、橋台・橋脚番号（自）、橋台・橋脚番号（至）、橋種、構造種別、支間順序番号、２下部工順番号（自）、２橋台・橋脚番号（自）、２下部工順番号（至）、２橋台・橋脚番号（至）、上部工しゅん功年月、床版種別、床版厚等が挙げられる。また、下部工の場合の属性情報としては、支社局コード、支社局名、ＩＣ（自）コード、ＩＣ（自）、ＩＣ（至）コード、ＩＣ（至）、事務所コード、事務所名、道路コード、道路名、橋梁コード、橋梁名、上下線区分コード、上下線区分、下部工順番号、橋台・橋脚番号、橋台・橋脚名称、管理ランプ名、管理ＫＰ（距離標）、管理ＮＯ（ランプ距離標）、支承種別、直角方向位置最大、固定可動コード、固定可動等が挙げられる。
【００２２】
なお、距離標とは、一般に道路端に一定間隔で設置され、道路の起点からの距離（ＫＰ）を表示した標識（道路の付属物）をいうが、ここでは実際の距離標の設置の有無に関わらず、道路の起点（基準となる点）からの距離（ＫＰ）により示される位置をいうものとする。
【００２３】
点検基図は、道路構造物の各要素の構造を平面に展開した点検用のＣＡＤ図である。点検基図は、道路構造物の各要素に対し、例えば道路コード、道路名、上下線区分、ＫＰ区分、上部工／下部工の別、点検部位名等により紐付けされている。
【００２４】
座標取得手段１１は、現在位置の座標（経緯度）をＧＮＳＳ（グローバル・ナビゲーション・サテライト・システム／全球測位衛星システム）等の衛星測位システムにより取得するものである。地図表示手段１２は、座標取得手段１１により取得した現在位置の座標に基づいて、現在位置と、当該現在位置に対応する地図画像と、当該現在位置に配設された道路構造物を構成する複数の要素とをタッチパネル２上に表示するものである。
【００２５】
要素表示手段１３は、道路構造物を構成する複数の要素をタッチパネル２上に表示するものである。要素表示手段１３による複数の要素の表示は、地図表示手段１２により表示する地図画像上へ図形、文字や記号等によるものや、リスト形式によるものとすることが可能である。
【００２６】
要素指定手段１４は、要素表示手段１３により表示された複数の要素から少なくとも１つの要素を指定するものである。なお、本実施形態の要素指定手段１４においては、要素表示手段１３により地図画像上に表示された複数の要素の中からタッチパネル２上でタップするか、または、要素表示手段１３によりリスト表示された複数の要素の中からタッチパネル２上でタップすることにより要素を指定することが可能となっている。
【００２７】
属性表示手段１５は、要素指定手段１４により指定された要素の属性データを記憶手段１０から取得してその属性情報を表示するとともに、当該指定された要素に紐付けされた点検基図データを記憶手段１０から取得してその点検基図のサムネイル画像を表示するものである。
【００２８】
個別変状リスト表示手段１６は、要素指定手段１４により指定された要素に紐付けされた個別変状データを記憶手段１０から取得してそのリストを表示するものである。個別変状情報表示手段１７は、個別変状リスト表示手段１６により表示されたリストの中から指定された個別変状データに対応する個別変状に関する情報を表示するものである。
【００２９】
個別変状データに含まれる個別変状に関する情報としては、例えば、バージョン、処理識別、点検実施情報ＩＤ、支社コード、事務所コード、事務所名、路線コード、路線名、ＩＣ（自）コード、ＩＣ（自）名、ＩＣ（至）コード、ＩＣ（至）名、上下線区分コード、上下線名称、ルート区分コード、ルート区分名、完成暫定区分コード、完成暫定区分名、ＫＰ区分、ＫＰ（距離標）、ＮＯ（ランプ距離標）、ＧＰＳ絶対座標（Ｘ）、ＧＰＳ絶対座標（Ｙ）、部位番号、部位総数、道路区分コード、道路区分名、連絡休憩等施設コード、連絡休憩等施設名、重点点検対象コード、重点点検対象名、構造形式コード、構造形式名、固有名称コード、固有名称、下部工チェック、下部工名、交差物件、管理主体の別コード、管理主体の別名、年度、点検年月日、管理員種別コード、管理員種別名、点検会社名、点検者名、天候コード、天候名、点検種別コード、点検種別名、健全度設定理由、健全度調査結果、図面単位の所見、照査技術者、諸元ＩＤ、個別変状ＩＤ、点検順位、枝番、点検箇所コード、点検箇所名、点検部位コード、点検部位名、変状種類コード、変状種類名、点検手法コード、点検手法名、変状部位区分コード、変状部位区分名、変状部位コード、変状部位名、判定会議前判定（個別変状）コード、判定会議前判定（個別変状）内容、判定会議前判定（第三者被害）コード、判定会議前判定（第三者被害）内容、判定会議前判定（調査・措置）コード、判定会議前判定（調査・措置）内容、判定変更年月日、備考（判定変更理由）、当初判定（個別変状）コード、当初判定（個別変状）内容、当初判定（第三者被害）コード、当初判定（第三者被害）内容、当初判定（調査・措置）コード、当初判定（調査・措置）内容、判定（個別変状）コード、判定（個別変状）内容、判定（第三者被害）コード、判定（第三者被害）内容、判定（調査・措置）コード、判定（調査・措置）内容、判定補助コード、箇所数、数量、単位、主たる変状原因コード、主たる変状原因名、補修等の区分コード、補修等の区分名、変状概要、備考、補修箇所数、補修数量、補修完了年月日、経歴関連整理番号、補修履歴経過フラグ、補修履歴経過内容、応急措置実施有無、補修実施有無、［補修計画］工事設計年月日、［補修計画］工事着手年月日、補修方針判断決定者、［補修計画］補修方針コード、［補修計画］補修方針内容、事業計画の確認フラグ、代表変状フラグ、前回報告年度、報告年度、部材名、補修計画見直し回数、写真ファイル名、近接遠望区分、表示順位、代表区分、正式ファイル名等が挙げられる。
【００３０】
点検基図表示手段１８は、属性表示手段１５により表示されたサムネイル画像の中から指定されたサムネイル画像に対応する点検基図を記憶手段１０から取得して表示するものである。個別変状情報入力手段１９は、点検基図表示手段１８により表示された点検基図上の位置を指定して個別変状に関する情報が入力されると、入力された個別変状に関する情報を当該点検基図が紐付けされた要素の個別変状データとして記憶手段１０に記憶する。
【００３１】
次に、上記構成の点検基図作成支援装置１の動作について詳細に説明する。なお、記憶手段１０には、複数の要素から構成された道路構造物の各要素に関する属性情報を含む属性データと、道路構造物を構成する各要素に紐付けされた点検基図を含む点検基図データと、道路構造物を構成する各要素に紐付けされた個別変状データとが予め記憶されているものとする。
【００３２】
点検基図作成支援装置１のタッチパネル２には、地図表示手段１２により、図３に示すように地図画像３０が表示される。なお、この地図画像３０は、座標取得手段１１により取得した現在位置の座標に基づき、現在位置に対応する地図画像とすることも可能である。また、図示しないが、地図表示手段１２は、この地図画像３０上に座標取得手段１１により取得した現在位置をマーク等により表示することも可能である。
【００３３】
まず、作業者は、図３に示すように検索ウインドウ４０において、検索条件４１として「橋梁（下部工）」または「橋梁（上部工）を選択し、さらに検索条件４２として路線名、上下線名称、固有名称、橋台・橋脚名称等を設定し、「検索」ボタン４３をタップ（指定）すると、要素表示手段１３は、図４に示すように、検索条件４１，４２に合致する要素の一覧４４をリスト表示する。
【００３４】
そして、作業者がこのリスト表示された要素の一覧４４の中から１つの要素４５をタッチパネル２上でタップ（要素指定手段１４により指定）すると、地図表示手段１２は、この指定された要素４５の位置へ地図画像３０を移動する。また、属性表示手段１５は、要素指定手段１４により指定された要素の属性データを記憶手段１０から取得してその属性情報５１を属性ウインドウ５０に表示する。
【００３５】
なお、要素表示手段１３は、地図画像３０上に道路構造物を構成する複数の要素を図形３１，３２等により表示しており、作業者はこの地図画像３０上に表示された図形３１，３２等をタッチパネル２上でタップすることにより指定（要素指定手段１４により指定）することも可能である。なお、図示例では、図形３１は下部工を示す四角、図形３２は上部工を示すスパン（ライン）となっている。作業者が図形３１，３２等をタップすると、このタップ（指定）された要素の属性データが記憶手段１０から取得され、その属性情報５１が属性表示手段１５により属性ウインドウ５０に表示される。
【００３６】
なお、本実施形態における点検基図作成支援装置１では、座標取得手段１１により取得した現在位置の座標に基づいて、図５に示すように、地図表示手段１２により現在位置に対応する地図画像３０を表示し、要素表示手段１３により、現在位置に対応する道路構造物を構成する複数の要素をこの地図画像３０上へ図形３３，３４等により表示することも可能となっている。
【００３７】
また、図６に示すように作業者が地図画像３０上の図形３５をタップすることにより指定（要素指定手段１４により指定）した際、この１つの図形３５に対して複数の要素が存在する場合には、その旨を示す吹き出し３６が表示され、この吹き出し３６をタップすると図形３５に対応する複数の要素の一覧が要素選択ウインドウ６０に表示される。そして、この要素選択ウインドウ６０から所望の要素６１をタップ（指定）すると、属性表示手段１５により要素６１の属性データが記憶手段１０から取得され、その属性情報５２が属性ウインドウ５０に表示される。
【００３８】
さらに、図７に示すように、属性表示手段１５は指定された要素６１に紐付けされた点検基図データを記憶手段１０から取得して、その点検基図のサムネイル画像５３を属性ウインドウ５０に表示する。なお、本実施形態においては、上部工は外、中、奥の３つの点検箇所にそれぞれ１枚ずつ（合計３枚）、下部工は１、２の２つの点検箇所にそれぞれ１枚ずつ（合計２枚）の点検基図が１つの要素６１に対して紐付けされ、記憶手段１０に登録されるようになっている。属性ウインドウ６０は作業者が上下方向へドラッグすることにより表示内容をスクロールして要素６１の属性情報５２および点検基図のサムネイル画像５３を全て表示することが可能となっている。
【００３９】
そして、作業者が属性ウインドウ５０に表示された点検基図のサムネイル画像５３の中から１つを指定すると、図８に示すように、点検基図表示手段１８は、この指定されたサムネイル画像に対応する点検基図７０を記憶手段１０から取得して表示する。また、個別変状リスト表示手段１６は、指定された要素６１に紐付けされた個別変状データを記憶手段１０から取得してそのリスト（個別変状リスト８１）をリストウインドウ８０に表示する。さらに、個別変状リスト表示手段１６は、点検基図７０上にも個別変状データのリスト（個別変状リスト８２）をシンボルマーク８２Ａとともに表示する。
【００４０】
なお、記憶手段１０に記憶されている点検基図７０を変更したり、新規に登録したりする場合には、属性ウインドウ５０の「フォルダー」ボタン５４をタップ（指定）し、変更または登録する点検基図ファイルを指定することが可能となっている。また、点検基図７０を削除する場合には、属性ウインドウ５０の「削除」ボタン５５をタップ（指定）することで、削除することが可能である。
【００４１】
また、１つの点検箇所に対して複数の点検基図が必要な場合には、リストウインドウ８０の「点検基図追加」ボタン８３をタップ（指定）することで追加することが可能である。例えば、図９に示す点検基図７１がある場合に、「点検基図追加」ボタン８３をタップ（指定）し、追加する点検基図ファイルを指定すると、図１０に示すように追加した点検基図７２が点検基図７１に並べて追加される。
【００４２】
また、１つの点検箇所に対して登録されている点検基図はリストウインドウ８０に点検基図リスト８５として一覧表示される。また、点検基図リスト８５の一覧から点検基図を選択して「削除」ボタン８４をタップ（指定）することで、指定した点検基図を削除することも可能である。
【００４３】
そして、作業者が図８に示されるリストウインドウ８０の個別変状リスト８１の中から１つをタップ（指定）すると、個別変状情報表示手段１７は、この指定された個別変状データに対応する個別変状に関する情報を記憶手段１０から取得して、図１１に示すように個別変状ウインドウ９０に表示する。
【００４４】
作業者は点検箇所の点検を行い、点検内容を基に個別変状ウインドウ９０に表示されている個別変状に関する情報の変更を行う。この個別変状ウインドウ９０により入力された個別変状に関する情報は、「保存」ボタン９１がタップ（指定）された際に、個別変状情報入力手段１９により記憶手段１０に記憶される。また、変更が行われた個別変状データについては、変更が行われたことが分かるように点検基図７０上のシンボルマーク８２Ａが例えば黄色から赤色に変更される（図１２のシンボルマーク８２Ｂ参照。）。
【００４５】
また、図１３に示すように、個別変状データを新規追加する場合には、「図形編集」ボタン８６をタップ（指定）し、「図形追加」ボタン８７をタップ（指定）する。そして、点検基図７０上の個別変状箇所（損傷箇所）の位置（後述するシンボルマーク８８の位置）をタップ（指定）すると、個別変状ウインドウ９０が表示されるので、この個別変状ウインドウ９０により点検内容を入力する。この個別変状ウインドウ９０により入力された個別変状に関する情報は、「保存」ボタン９１がタップ（指定）された際に、個別変状情報入力手段１９によりこの点検基図７０が紐付けされた要素の個別変状データとして記憶手段１０に記憶されるとともに、点検基図７０上に新規追加されたことを示す青色のシンボルマーク８８が表示される。
【００４６】
また、図１４に示すように、「図形選択」ボタン８９をタップ（指定）し、点検基図７０上の個別変状リスト８２のシンボルマーク８２Ｃをタップ（指定）すると、シンボルマーク８２Ｃが選択状態となり、指定された個別変状データに対応する個別変状に関する情報が個別変状ウインドウ９０に表示されるので、この個別変状ウインドウ９０により前述と同様に個別変状に関する情報の変更を行うことが可能である。さらに、このシンボルマーク８２Ｃを選択した状態で、再度同じシンボルマーク８２Ｃをタップ（指定）し、ドラッグすることでシンボルマーク８２Ｃの位置を変更することが可能となっている（図１５参照。）。
【００４７】
また、個別変状データを削除する場合、図１６に示すように、「削除」ボタン９２をタップ（指定）することにより表示される確認メッセージウインドウ１００の「はい」ボタン１０１をタップ（指定）すると、その個別変状データが記憶手段１０から削除される。このとき、新規追加された個別変状データについては完全に削除されるが、予め記憶手段１０に記憶された個別変状データについては削除されず、シンボルマーク８２Ｃが削除されたことを示すグレー色表示に切り替えられる。
【００４８】
その他、点検基図７０上にその他の関連図形の追加を行う場合、図１７に示すように、「その他図形追加」の凡例１１０の中から追加を行う図形をタップ（指定）し、点検基図７０上へ描画する。例えば、四角形の場合、開始点をタップし、そのまま指を放さずにドラッグを行い、２点目で指を放す。また、折れ線の場合は、描画を行う各構成点の部分をタップ（指定）し、最後の点はダブルタップにより指定することにより確定する。こうして追加された図形は、個別変状情報入力手段１９によりこの点検基図７０が紐付けされた要素の個別変状データとして記憶手段１０に記憶される。
【００４９】
以上のように、本実施形態における点検基図作成支援装置１によれば、作業者が現地点検を行う際、道路構造物を構成する複数の要素から要素指定手段１４により要素を指定すると、この指定された要素の属性データの属性情報が属性表示手段１５により表示されるとともに、この指定された要素に紐付けされた点検基図データの点検基図のサムネイル画像が表示され、この表示されたサムネイル画像の中からサムネイル画像を選択して指定すると、この指定されたサムネイル画像に対応する点検基図が点検基図表示手段１８により表示され、この表示された点検基図上の位置を指定して個別変状に関する情報が入力されると、この入力された個別変状に関する情報は、その点検基図が紐付けされた要素の個別変状データとして個別変状情報入力手段１９により記憶手段１０に記憶されるので、点検箇所に対応する点検基図を容易かつ正確に呼び出して点検結果を記録することが可能となる。
【産業上の利用可能性】
【００５０】
本発明は、高速道路や一般道路等の道路における路面、法面、橋梁、トンネル、カルバートや付属物等の道路構造物の点検基図作成支援装置およびプログラムとして有用であり、特に、作業者が現地点検を行う際、点検箇所に対応する点検基図を容易かつ正確に呼び出して点検結果を記録することが可能な点検基図作成支援装置およびプログラムとして好適である。
【符号の説明】
【００５１】
１  点検基図作成支援装置
２  タッチパネル
３  コンピュータ
１０  記憶手段
１１  座標取得手段
１２  地図表示手段
１３  要素表示手段
１４  要素指定手段
１５  属性表示手段
１６  個別変状リスト表示手段
１７  個別変状情報表示手段
１８  点検基図表示手段
１９  個別変状情報入力手段
【図１】
2019061375.tif 000003
【図２】
2019061375.tif 000004
【図３】
2019061375.tif 000005
【図４】
2019061375.tif 000006
【図５】
2019061375.tif 000007
【図６】
2019061375.tif 000008
【図７】
2019061375.tif 000009
【図８】
2019061375.tif 000010
【図９】
2019061375.tif 000011
【図１０】
2019061375.tif 000012
【図１１】
2019061375.tif 000013
【図１２】
2019061375.tif 000014
【図１３】
2019061375.tif 000015
【図１４】
2019061375.tif 000016
【図１５】
2019061375.tif 000017
【図１６】
2019061375.tif 000018
【図１７】
2019061375.tif 000019